(57)【要約】【課題】導入費用の低減を図る。【解決手段】アダプタ３は、照明器具２の作動状態を検知する検知部３１と、解析装置４との間で通信する通信部３２と、検知部３１の検知結果を通信部３２から解析装置４へ送信させる制御部３０とを備える。故に、既存の照明器具２におけるアダプタを本実施形態のアダプタ３に交換するだけで、照明器具２(照明装置１)の作動状態を検知し、その検知結果を解析装置４で収集することができる。その結果、特許文献１記載の照明システムと比較して、導入費用の低減を図ることができる。【選択図】        図１
2015185458.tif 000002
【特許請求の範囲】
【請求項１】
生活空間に配置される複数の照明装置と、前記生活空間で生活する生活者の行動を解析する解析装置とを備え、
前記複数の照明装置は、照明器具と、引掛シーリング用のアダプタとを有し、
前記アダプタは、前記生活空間に設置される引掛シーリングボディと着脱可能に電気的且つ機械的に接続され、
前記照明器具は、光源と、前記光源を点灯する点灯装置と、前記光源及び前記点灯装置を支持する器具本体と、前記器具本体を前記アダプタに着脱可能に保持させるホルダとを備え、
前記アダプタは、前記照明器具の作動状態を検知する検知部と、前記解析装置との間で通信する通信部と、前記検知部の検知結果を前記通信部から前記解析装置へ送信させる制御部とを備えることを特徴とする照明システム。
【請求項２】
前記解析装置は、前記アダプタから受け取る前記検知結果を解析することにより、前記生活者の生活パターンを導出するように構成されることを特徴とする請求項１記載の照明システム。
【請求項３】
前記照明器具は、検知領域における人の存在を検知する人センサ部と、前記人センサ部の検知結果に応じて前記点灯装置を制御するコントローラとを備え、
前記アダプタの前記制御部は、前記コントローラから前記人センサ部の人検知結果を取得し、取得した前記人検知結果を前記通信部から前記解析装置へ送信させるように構成され、
前記解析装置は、前記アダプタから受け取る前記検知結果及び前記人検知結果を解析することにより、前記生活者の生活パターンを導出するように構成されることを特徴とする請求項２記載の照明システム。
【請求項４】
前記照明器具は、周囲の明るさを計測する明るさセンサ部と、前記明るさセンサ部の計測値に応じて前記点灯装置を制御するコントローラとを備え、
前記アダプタの前記制御部は、前記コントローラから前記明るさセンサ部の前記計測値を取得し、取得した前記計測値を前記通信部から前記解析装置へ送信させるように構成され、
前記解析装置は、前記アダプタから受け取る前記検知結果及び前記計測値を解析することにより、前記生活者の生活パターンを導出するように構成されることを特徴とする請求項２又は３記載の照明システム。
【請求項５】
生活空間に設置される引掛シーリングボディと着脱可能に電気的且つ機械的に接続され、照明器具が備えるホルダと着脱可能に結合されるように構成され、
前記照明器具の作動状態を検知する検知部と、解析装置との間で通信する通信部と、前記検知部の検知結果を前記通信部から前記解析装置へ送信させる制御部とを備えることを特徴とする引掛シーリング用のアダプタ。
【請求項６】
生活空間に配置される複数の照明装置と、前記生活空間で生活する生活者の行動を解析する解析装置とを備え、
前記複数の照明装置は、照明器具と、引掛シーリング用のアダプタとを有し、
前記アダプタは、前記生活空間に設置される引掛シーリングボディと着脱可能に電気的且つ機械的に接続され、
前記照明器具は、光源と、前記光源を点灯する点灯装置と、前記光源及び前記点灯装置を支持する器具本体と、前記器具本体を前記アダプタに着脱可能に保持させるホルダとを備え、
前記アダプタは、前記照明器具の作動状態を検知する検知部と、前記解析装置との間で通信する通信部と、前記検知部の検知結果を前記通信部から前記解析装置へ送信させる制御部とを備え、
前記解析装置は、前記アダプタから受け取る前記検知結果を解析することにより、前記生活者の生活パターンを導出するように構成され、
さらに、前記解析装置は、標準的な生活パターンを記憶し、前記検知結果の解析によって導出する前記生活パターンと前記標準的な生活パターンとを比較することで前記生活者の安否を判断するように構成されることを特徴とする生活支援システム。
【請求項７】
前記生活者が使用する機器に取り付けられる識別タグと、前記生活空間に配置される複数のリーダライタとを備え、
前記識別タグは、前記リーダライタに対して、固有の識別符号を送信する通信部を備え、
前記リーダライタは、前記識別タグの前記通信部から受け取る前記識別符号を前記解析装置へ伝送するように構成され、
前記解析装置は、前記アダプタから受け取る前記検知結果、並びに前記リーダライタから受け取る前記識別符号を解析することにより、前記生活者の生活パターンを導出するように構成されることを特徴とする請求項６記載の生活支援システム。
【発明の詳細な説明】
【技術分野】
【０００１】
本発明は、複数台の照明装置を含む照明システム、及び照明器具とともに照明装置を構成する引掛シーリング用のアダプタ、並びに照明システムを利用して生活者の生活を支援するための生活支援システムに関する。
【背景技術】
【０００２】
従来例として、特許文献１記載の照明システムを例示する。この従来例は、宅内の各部屋に設置される照明器具と、リモコンと、メインコントローラと、ゲートウェイサーバとを備える。
【０００３】
各照明器具は、無線通信を行う通信部と、人体や明るさなどを検知するセンサ部と、蛍光灯などの光源部と、制御部とを備える。この住宅で生活者が普通に生活しており、例えば第４の照明器具が設置された内玄関に生活者が入って来た場合、第４の照明器具のセンサ部１２が生活者を検知して光源部を点灯させる。生活者が内玄関から第２の照明器具および第３の照明器具が設置されたリビングルームヘと移動していくと、第３の照明器具および第２の照明器具のセンサ部が順次生活者を検知して、それぞれの光源部を点灯させる。
【０００４】
また、この従来例では、各照明器具の作動状況(点灯、消灯)やセンサ部の検知結果などが通信部からゲートウェイサーバに伝送される。ゲートウェイサーバは、各照明器具から伝送される作動状況や検知結果などの情報を記憶し、記憶した情報に基づいて、生活者に異常(病気で動けなくなっているかなど)が生じているか否かを判断する。そして、ゲートウェイサーバは、異常が生じていると判断した場合、予め登録されているアドレス(電子メールのメールアドレスなど)に異常の発生を通知するように構成されている。
【先行技術文献】
【特許文献】
【０００５】
【特許文献１】特開２００３−２４３１８９号公報
【発明の概要】
【発明が解決しようとする課題】
【０００６】
ところで、特許文献１記載の従来例は、一般の照明器具ではなく、無線通信機能を有する専用の照明器具が必要である。そのため、特許文献１記載の照明システムは、導入費用(イニシャルコスト)が高くつき、普及し難いという問題があった。
【０００７】
本発明は、上記課題に鑑みて為されたものであり、導入費用の低減を図ることを目的とする。
【課題を解決するための手段】
【０００８】
本発明の照明システムは、生活空間に配置される複数の照明装置と、前記生活空間で生活する生活者の行動を解析する解析装置とを備える。前記複数の照明装置は、照明器具と、引掛シーリング用のアダプタとを有する。前記アダプタは、前記生活空間に設置される引掛シーリングボディと着脱可能に電気的且つ機械的に接続される。前記照明器具は、光源と、前記光源を点灯する点灯装置と、前記光源及び前記点灯装置を支持する器具本体と、前記器具本体を前記アダプタに着脱可能に保持させるホルダとを備える。前記アダプタは、前記照明器具の作動状態を検知する検知部と、前記解析装置との間で通信する通信部と、前記検知部の検知結果を前記通信部から前記解析装置へ送信させる制御部とを備える。
【０００９】
この照明システムにおいて、前記解析装置は、前記アダプタから受け取る前記検知結果を解析することにより、前記生活者の生活パターンを導出するように構成されることが好ましい。
【００１０】
この照明システムにおいて、前記照明器具は、検知領域における人の存在を検知する人センサ部と、前記人センサ部の検知結果に応じて前記点灯装置を制御するコントローラとを備えることが好ましい。前記アダプタの前記制御部は、前記コントローラから前記人センサ部の人検知結果を取得し、取得した前記人検知結果を前記通信部から前記解析装置へ送信させるように構成されることが好ましい。前記解析装置は、前記アダプタから受け取る前記検知結果及び前記人検知結果を解析することにより、前記生活者の生活パターンを導出するように構成されることが好ましい。
【００１１】
この照明システムにおいて、前記照明器具は、周囲の明るさを計測する明るさセンサ部と、前記明るさセンサ部の計測値に応じて前記点灯装置を制御するコントローラとを備えることが好ましい。前記アダプタの前記制御部は、前記コントローラから前記明るさセンサ部の前記計測値を取得し、取得した前記計測値を前記通信部から前記解析装置へ送信させるように構成されることが好ましい。前記解析装置は、前記アダプタから受け取る前記検知結果及び前記計測値を解析することにより、前記生活者の生活パターンを導出するように構成されることが好ましい。
【００１２】
本発明の引掛シーリング用のアダプタは、生活空間に設置される引掛シーリングボディと着脱可能に電気的且つ機械的に接続され、照明器具が備えるホルダと着脱可能に結合されるように構成される。前記照明器具の作動状態を検知する検知部と、解析装置との間で通信する通信部と、前記検知部の検知結果を前記通信部から前記解析装置へ送信させる制御部とを備える。
【００１３】
本発明の生活支援システムは、生活空間に配置される複数の照明装置と、前記生活空間で生活する生活者の行動を解析する解析装置とを備える。前記複数の照明装置は、照明器具と、引掛シーリング用のアダプタとを有する。前記アダプタは、前記生活空間に設置される引掛シーリングボディと着脱可能に電気的且つ機械的に接続される。前記照明器具は、光源と、前記光源を点灯する点灯装置と、前記光源及び前記点灯装置を支持する器具本体と、前記器具本体を前記アダプタに着脱可能に保持させるホルダとを備える。前記アダプタは、前記照明器具の作動状態を検知する検知部と、前記解析装置との間で通信する通信部と、前記検知部の検知結果を前記通信部から前記解析装置へ送信させる制御部とを備える。前記解析装置は、前記アダプタから受け取る前記検知結果を解析することにより、前記生活者の生活パターンを導出するように構成される。さらに、前記解析装置は、標準的な生活パターンを記憶し、前記検知結果の解析によって導出する前記生活パターンと前記標準的な生活パターンとを比較することで前記生活者の安否を判断するように構成される。
【００１４】
この生活支援システムにおいて、前記生活者が使用する機器に取り付けられる識別タグと、前記生活空間に配置される複数のリーダライタとを備えることが好ましい。前記識別タグは、前記リーダライタに対して、固有の識別符号を送信する通信部を備えることが好ましい。前記リーダライタは、前記識別タグの前記通信部から受け取る前記識別符号を前記解析装置へ伝送するように構成されることが好ましい。前記解析装置は、前記アダプタから受け取る前記検知結果、並びに前記リーダライタから受け取る前記識別符号を解析することにより、前記生活者の生活パターンを導出するように構成されることが好ましい。
【発明の効果】
【００１５】
本発明の照明システム及び引掛シーリング用のアダプタ、並びに生活支援システムは、既存の照明器具におけるアダプタを交換するだけで、照明器具(照明装置)の作動状態を検知し、その検知結果を解析装置で収集することができる。その結果、本発明の照明システム及び引掛シーリング用のアダプタ、並びに生活支援システムは、特許文献１記載の従来例と比較して、導入費用の低減を図ることができるという効果がある。
【図面の簡単な説明】
【００１６】
【図１】本発明に係る照明システム及び生活支援システムの実施形態１を示すシステム構成図である。
【図２】図２Ａは、本発明に係るアダプタの実施形態を示す上面図、図２Ｂは、本発明に係るアダプタの実施形態を示す側面図、図２Ｃは、本発明に係るアダプタの実施形態を示す下面図である。
【図３】同上における照明器具の分解斜視図である。
【図４】同上が設置される住宅の間取り図である。
【図５】図５Ａは、同上における標準的な生活パターンの説明図、図５Ｂは、同上における異常発生時の生活パターンの説明図である。
【図６】本発明に係る生活支援システムの実施形態２を示し、識別タグ及びリーダライタのブロック図である。
【図７】同上が設置されるシェアハウスの間取り図である。
【発明を実施するための形態】
【００１７】
(実施形態１)
本発明に係る照明システム及び生活支援システムの実施形態は、図１に示すように生活空間に配置される複数(図示は２つ)の照明装置１と、生活空間で生活する生活者の行動を解析する解析装置４とを備える。
【００１８】
照明装置１は、照明器具２と、引掛シーリング用のアダプタ(以下、アダプタと略す。)３とを有する。
【００１９】
アダプタ３は、生活空間(例えば、住居の各部屋の天井)に設置される引掛シーリングボディ６と着脱可能に電気的且つ機械的に接続される。アダプタ３は、図１に示すように制御部３０、検知部３１、通信部３２を備える。また、アダプタ３は、データ伝送部３３を備えても構わない。
【００２０】
検知部３１は、照明器具２の作動状態を検知するように構成される。具体的には、検知部３１は、商用の交流電源５から引掛シーリングボディ６を介して照明器具２に供給される電流(負荷電流)の大きさを計測し、且つその計測値を所定のしきい値と比較することで照明器具２の作動状態を検知するように構成される。つまり、照明器具２が点灯状態の場合、負荷電流の計測値がしきい値を超えるので、検知部３１は照明器具２が点灯状態であることを検知できる。また、照明器具２が消灯状態の場合、負荷電流の計測値がしきい値以下となるので、検知部３１は照明器具２が消灯状態であることを検知できる。そして、検知部３１は、照明器具２の作動状態の検知結果を制御部３０に出力するように構成される。なお、検知部３１は、例えば、電流センサ(図示せず)を用いて前記負荷電流を計測することが好ましい。さらに検知部３１は、コンパレータを用いて負荷電流の計測値としきい値を比較し、点灯状態の場合にハイレベル(又はローレベル)となり、消灯状態の場合にローレベル(又はハイレベル)となる検知信号(検知結果)を制御部３０に出力することが好ましい。
【００２１】
通信部３２は、解析装置４との間で通信(例えば、電波を通信媒体とする無線通信)するように構成される。
【００２２】
データ伝送部３３は、例えば、IEEE802.15.1で標準化されている短距離無線通信方式や、UART(Universal Asynchronous Receiver Transmitter)などの有線通信方式により、後述する照明器具２のコントローラ２３との間でデータ伝送を行うように構成される。
【００２３】
制御部３０は、マイクロコントローラからなる。制御部３０は、検知部３１から出力される検知信号(以下、検知データと呼ぶ。)を、マイクロコントローラに内蔵されたメモリに記憶する。また、制御部３０は、データ伝送部３３が照明器具２のコントローラ２３から受け取るデータ(後述する)も、前記メモリに記憶する。そして、制御部３０は、メモリに記憶した検知データ等を、通信部３２から解析装置４へ送信させる。
【００２４】
アダプタ３の外観を図２Ａ〜図２Ｃに示す。アダプタ３は、図２Ａ〜図２Ｃに示すように、器体３４、一対の引掛刃３５、レセプタクルコネクタ３６、一対の引掛部材３７、一対の操作部材３８などを備える。
【００２５】
器体３４は、合成樹脂などの絶縁材料で扁平な円筒形状に形成されている。一対の引掛刃３５は、器体３４の上面から上向きに突出するように設けられている。これら一対の引掛刃３５は、従来周知である引掛シーリングボディ(図示せず)と着脱可能に電気的且つ機械的に接続される。
【００２６】
レセプタクルコネクタ３６は、器体３４の下面中央に露出するように設けられる。レセプタクルコネクタ３６は、器体３４内において、一対の引掛刃３５と電気的に接続されている。
【００２７】
一対の引掛部材３７は、器体３４の側面から進退可能に突出し、器体３４内に収納されているばね(図示せず)によって、器体３４の側面から飛び出す向きに押されている。一対の操作部材３８は、器体３４内で各引掛部材３７と連結されるとともに、器体３４の下面に一部が露出している。つまり、これら一対の操作部材３８が外向きに押し操作されると、各操作部材３８と連結されている引掛部材３７が器体３４内に退避させることができる。
【００２８】
照明器具２は、図１に示すようにＡＣ／ＤＣコンバータ２０、ＤＣ／ＤＣコンバータ２１、ＬＥＤモジュール２２を備える。照明器具２は、さらに、コントローラ２３と、人センサ部２４若しくは明るさセンサ部２５の少なくとも何れか一方を備えても構わない。
【００２９】
ＡＣ／ＤＣコンバータ２０は、引掛シーリングボディ６並びにアダプタ３を介して交流電源５から供給される交流電圧・交流電流を直流電圧・直流電流に変換するように構成される。ＤＣ／ＤＣコンバータ２１は、ＡＣ／ＤＣコンバータ２０から出力される直流電圧を所望の直流電圧に変換(例えば、降圧)するように構成される。
【００３０】
ＬＥＤモジュール２２は、複数個のＬＥＤ(発光ダイオード)が基板に実装されて構成される。つまり、照明器具２は、ＬＥＤモジュール２２を光源とする。ただし、光源はＬＥＤモジュール２２に限定されず、有機エレクトロルミネッセンス素子や、蛍光ランプ、白熱ランプなどであっても構わない。
【００３１】
人センサ部２４は、検知領域における人の存在を検知し、人の存在を検知したことを示す人検知信号(人検知結果)をコントローラ２３に出力するように構成される。このような人センサ部２４は、例えば、人体から放射される熱線(赤外線)を焦電素子で感知するように構成される。ただし、人センサ部２４は、焦電素子を用いたパッシブ型のセンサに限らず、超音波や電波を利用したアクティブ型のセンサで構成されても構わない。
【００３２】
明るさセンサ部２５は、周囲の明るさ(照度)を計測し、明るさの計測値をコントローラ２３に出力するように構成される。このような明るさセンサ部２５は、太陽電池やフォトダイオード、フォトトランジスタなどの光電変換素子を用いて明るさを計測するように構成される。
【００３３】
コントローラ２３は、マイクロコントローラからなる。コントローラ２３は、人センサ部２４から受け取る人検知信号や、明るさセンサ部２５から受け取る計測値に基づいて、ＤＣ／ＤＣコンバータ２１を制御するように構成される。例えば、コントローラ２３は、明るさの計測値が所定のしきい値以上であれば、ＤＣ／ＤＣコンバータ２１を停止してＬＥＤモジュール２２を消灯することが好ましい。また、コントローラ２３は、明るさの計測値がしきい値未満である場合において、予め設定された明るさの目標値に計測値を一致させるようにＤＣ／ＤＣコンバータ２１の出力をフィードバック制御することが好ましい。あるいは、コントローラ２３は、人検知信号を受け取っていれば、ＤＣ／ＤＣコンバータ２１を動作させてＬＥＤモジュール２２を点灯し、人検知信号を受け取らなければ、ＤＣ／ＤＣコンバータ２１を停止してＬＥＤモジュール２２を消灯することが好ましい。コントローラ２３が上述のような制御動作を行うことにより、ＬＥＤモジュール２２の無駄な点灯を防いで省エネルギー化を図ることができる。
【００３４】
図３に照明器具２の分解斜視図を示す。照明器具２は、器具本体２６、導光体２７、本体カバー２８、カバー２９などを備える。器具本体２６は、円環状のベース部２６０と、ベース部２６０の内側に設けられた皿状の突台部２６１とが鋼板などの金属板で一体に形成されている。突台部２６１の中央に円形の貫通孔２６２が貫通している。そして、この貫通孔２６２にホルダ２６３が取り付けられている。なお、ベース部２６０の下面にＬＥＤモジュール２２が取り付けられる。
【００３５】
ホルダ２６３は、長円形のフランジ部２６３０と、フランジ部２６３０の中央を貫通する円筒形の挿通部２６３１とが合成樹脂材料で一体に形成されている。ホルダ２６３は、挿通部２６３１のフランジ部２６３０より下側の部分が貫通孔２６２に挿通され、フランジ部２６３０が突台部２６１にねじ止めされることで器具本体２６に取り付けられる。
【００３６】
挿通部２６３１の内周面には、アダプタ３の引掛部材３７が引っ掛かる引掛溝(図示せず)が設けられている。つまり、アダプタ３がホルダ２６３の挿通部２６３１に挿通され、一対の引掛部材３７が引掛溝に引っ掛かることでホルダ２６３とアダプタ３が結合され、その結果、器具本体２６がアダプタ３に取り付けられる。
【００３７】
器具本体２６の突台部２６１上に点灯装置(ＡＣ／ＤＣコンバータ２０及びＤＣ／ＤＣコンバータ２１)が取り付けられる。この点灯装置は、図示しないプラグコネクタを有している。そして、このプラグコネクタがアダプタ３のレセプタクルコネクタ３６と接続されることにより、交流電源５から点灯装置への給電路が形成される。
【００３８】
また、器具本体２６のフランジ部２６３０の下面には、カバー２９を着脱可能に取り付けるための複数の取付具２６４と、カバー２９を支持するための複数の支持金具２６５とが周方向に沿って等間隔に並べて設けられている。ただし、このような取付具２６４及び支持金具２６５は従来周知であるから、詳細な説明は省略する。
【００３９】
本体カバー２８は、金属板によって深皿状に形成され、器具本体２６の突台部２６１を上から覆い隠すように器具本体２６にねじ止めされる。本体カバー２８の底面中央には円錐台形状の突部２８０が突設され、その突部２８０の中央に円形の貫通孔２８１が貫通している。つまり、アダプタ３は本体カバー２８の貫通孔２８１を通してホルダ２６３の挿通部２６３１に挿通される。
【００４０】
導光体２７は、アクリルなどの透光性を有する合成樹脂材料によって円板状に形成される。導光体２７は、器具本体２６の下面側に取り付けられ、ＬＥＤモジュール２２が放射する光を中央に向かって導光しつつ、下方に向けて出射するように構成される。
【００４１】
カバー２９は、アクリルなどの透光性を有する合成樹脂材料により、上面が開口するドーム状に形成され、取付具２６４並びに支持金具２６５を介して器具本体２６の下面側に取り付けられる。また、カバー２９は、導光体２７から出射される光を拡散する拡散構造を有している。なお、拡散構造は、例えば、カバー２９の表面に形成される白色の塗膜や、カバー２９を形成する合成樹材料に混入される拡散材、あるいはカバー２９の表面に形成される凹凸などで実現される。このようにカバー２９に拡散構造が設けられているため、照明空間に照射される光の均斉度を更に向上することができる。なお、人センサ部２４や明るさセンサ部２５は、器具本体２６のフランジ部２６３０に取り付けられることが好ましい。
【００４２】
なお、上述した照明器具２は一例であって、器具本体２６の形状や構造は上述した実施形態に限定されない。
【００４３】
解析装置４は、図１に示すように解析部４０、記憶部４１、通信部４２を有する。解析部４０は、汎用のコンピュータシステムと、コンピュータシステムに解析処理を含む種々の処理を行わせるソフトウェアとで構成される。記憶部４１は、ハードディスクドライブなどの大容量の記憶装置で構成される。通信部４２は、アダプタ３の通信部３２との間で通信(例えば、電波を通信媒体とする無線通信)するように構成される。
【００４４】
本実施形態における照明装置１は、例えば、図４に示すように戸建て住宅や集合住宅の住戸８に設置される。住戸８には、居間８０、台所８１、寝室８２、浴室８３、洗面所８４、トイレ８５の各部屋があり、それぞれの部屋に照明装置１が設置されている。また、廊下８６や内玄関８７及び外玄関８８、洗面所８４の洗面化粧台や台所８１の流し台にも照明装置１が設置される。なお、図４に示す住戸８において、居間８０、台所８１、寝室８２には、明るさセンサ部２５を備えた照明器具２が設置されることが好ましい。また、図４に示す住戸８において、居間８０、台所８１、寝室８２以外の部屋には人センサ部２４を備えた照明器具２が設置されることが好ましい。
【００４５】
住戸８の住人(生活者)が在宅している間、各部屋の照明装置１(照明器具２)が適宜点灯及び消灯する。これらの照明装置１では、照明器具２の作動状態(点灯状態及び消灯状態)をアダプタ３で検知し、その検知結果をアダプタ３から解析装置４へ通知している。なお、浴室８３、洗面所８４、トイレ８５、廊下８６、内玄関８７、外玄関８８には、引掛シーリングボディ６が設置されていないことが多い。したがって、これらの場所に設置される照明装置１は、通常、ＡＣ／ＤＣコンバータ２０が交流電源５に直接接続される。故に、これらの照明装置１では、コントローラ２３がＬＥＤモジュール２２の作動状態を判断し、通信部(図示せず)から解析装置４へ作動状態の検知結果を送信することが好ましい。
【００４６】
解析装置４は、照明装置１のアダプタ３(若しくは照明装置１)から通知される検知結果を通信部４２で受信し、受信した検知結果を記憶部４１に記憶するように構成される。そして、解析装置４では、記憶部４１に記憶された検知結果を解析部４０で解析することにより、生活者の生活パターンを導出することができる。
【００４７】
例えば、解析部４０は、朝、洗面所８４の照明装置１又はトイレ８５の照明装置１が点灯状態に切り換わったときに、生活者が起床したと判断し、そのときの時刻をその日の起床時刻として記憶部４１に記憶させる。また、解析部４０は、夜、全ての照明装置１が消灯状態に切り換わったときに、生活者が就寝したと判断し、そのときの時刻をその日の就寝時刻として記憶部４１に記憶させる。さらに、解析部４０は、１日のうちでトイレ８５の照明装置１が点灯された時刻、回数及び１回当たりの点灯時間を記憶部４１に記憶させる。また、解析部４０は、１日のうちで浴室８３の照明装置１が点灯された時刻及び点灯時間を記憶部４１に記憶させる。
【００４８】
そして、解析部４０は、記憶部４１に記憶させた起床時刻や就寝時刻、１日当たりのトイレの利用回数や利用時間、入浴時間などのデータから、当該生活者の生活パターンを導出するように構成されることが好ましい。
【００４９】
さらに、解析部４０は、長期間(例えば、１ヶ月間〜１年間)の生活パターンの平均値から、当該生活者の標準的な生活パターンを導出するように構成されることが好ましい。図５Ａは、標準的な生活パターンの一例を示している。この生活者は、２１時頃に入浴し、２２時頃に就寝して６時頃に起床し、起床直後と正午頃にトイレを利用するという生活パターンで生活する頻度が高いと考えられる。
【００５０】
上述のように本実施形態の照明システムは、生活空間に配置される複数の照明装置１と、前記生活空間で生活する生活者の行動を解析する解析装置４とを備える。複数の照明装置１は、照明器具２と、引掛シーリング用のアダプタ３とを有する。アダプタ３は、前記生活空間に設置される引掛シーリングボディ６と着脱可能に電気的且つ機械的に接続される。照明器具２は、光源(ＬＥＤモジュール２２)と、光源を点灯する点灯装置(ＡＣ／ＤＣコンバータ２０及びＤＣ／ＤＣコンバータ２１)とを備える。また、照明器具２は、光源及び点灯装置を支持する器具本体２６と、器具本体２６をアダプタ３に着脱可能に保持させるホルダ２６３とを備える。アダプタ３は、照明器具２の作動状態を検知する検知部３１と、解析装置４との間で通信する通信部３２と、検知部３１の検知結果を通信部３２から解析装置４へ送信させる制御部３０とを備える。
【００５１】
本実施形態の照明システムは上述のように構成されるので、既存の照明器具２におけるアダプタを本実施形態のアダプタ３に交換するだけで、照明器具２(照明装置１)の作動状態を検知し、その検知結果を解析装置４で収集することができる。その結果、本実施形態の照明システムは、特許文献１記載の照明システムと比較して、導入費用の低減を図ることができる。
【００５２】
また、本実施形態における解析装置４は、上述のようにアダプタ３から受け取る前記検知結果を解析することにより、前記生活者の生活パターンを導出するように構成されることが好ましい。
【００５３】
解析装置４は、日々の生活における使用頻度が相対的に高い照明器具２(照明装置１)の作動状態から生活者の生活パターンを導出することにより、簡易に導出精度の向上を図ることができる。
【００５４】
また、本実施形態における照明器具２は、検知領域における人の存在を検知する人センサ部２４と、人センサ部２４の検知結果に応じて点灯装置(ＡＣ／ＤＣコンバータ２０及びＤＣ／ＤＣコンバータ２１)を制御するコントローラ２３とを備えることが好ましい。アダプタ３の制御部３０は、コントローラ２３から人センサ部２４の人検知結果を取得し、取得した前記人検知結果を通信部３２から解析装置４へ送信させるように構成されることが好ましい。解析装置４は、アダプタ３から受け取る前記検知結果(照明器具２の作動状態)及び前記人検知結果を解析することにより、前記生活者の生活パターンを導出するように構成されることが好ましい。
【００５５】
すなわち、照明器具２のコントローラ２３は、明るさセンサ部２５の計測値をアダプタ３のデータ伝送部３３に伝送したり、あるいは、人センサ部２４の人検知結果を、図示しない通信部から解析装置４へ直接伝送しても構わない。
【００５６】
例えば、人センサ部２４を備える照明装置１は、人センサ部２４が人を検知しなくなってから所定の点灯保持時間が経過するまで、コントローラ２３がＬＥＤモジュール２２を消灯させないように構成されている。そのため、解析装置４は、トイレ８５に設置されている照明装置１の作動状態からトイレ８５の使用状況を推定するよりも、人センサ部２４の人検知結果からトイレ８５の使用状況を推定する方が、生活パターンの導出精度の向上を図ることができる。
【００５７】
また、本実施形態における照明器具２は、周囲の明るさを計測する明るさセンサ部２５と、明るさセンサ部２５の計測値に応じて点灯装置を制御するコントローラ２３とを備えることが好ましい。アダプタ３の制御部３０は、コントローラ２３から明るさセンサ部２５の計測値を取得し、取得した計測値を通信部３２から解析装置４へ送信させるように構成されることが好ましい。解析装置４は、アダプタ３から受け取る前記検知結果(照明器具２の作動状態)及び前記計測値を解析することにより、前記生活者の生活パターンを導出するように構成されることが好ましい。
【００５８】
例えば、解析装置４は、寝室８２に設置されている照明装置１が消灯した時刻から所定時間(例えば、１０分間)が経過するまで、明るさの計測値が所定の下限値以下に保たれていれば、生活者が就寝したと判断することができる。故に、照明装置１の作動状態のみから生活者の行動を推定する場合と比較して、解析装置４が生活者の生活パターンを導出する精度の向上を図ることができる。
【００５９】
本実施形態の生活支援システムは、生活空間に配置される複数の照明装置１と、前記生活空間で生活する生活者の行動を解析する解析装置４とを備える。複数の照明装置１は、照明器具２と、引掛シーリング用のアダプタ３とを有する。アダプタ３は、前記生活空間に設置される引掛シーリングボディ６と着脱可能に電気的且つ機械的に接続される。照明器具２は、光源(ＬＥＤモジュール２２)と、前記光源を点灯する点灯装置(ＡＣ／ＤＣコンバータ２０及びＤＣ／ＤＣコンバータ２１)と、前記光源及び前記点灯装置を支持する器具本体２６と、器具本体２６をアダプタ３に着脱可能に保持させるホルダ２６３とを備える。アダプタ３は、照明器具２の作動状態を検知する検知部３１と、解析装置４との間で通信する通信部３２と、検知部３１の検知結果を通信部３２から解析装置４へ送信させる制御部３０とを備える。解析装置４は、アダプタ３から受け取る検知結果を解析することにより、前記生活者の生活パターンを導出するように構成される。さらに、解析装置４は、標準的な生活パターンを記憶し、前記検知結果の解析によって導出する前記生活パターンと前記標準的な生活パターンとを比較することで前記生活者の安否を判断するように構成されることが好ましい。
【００６０】
例えば、図５Ａは標準的な生活パターンを示し、図５Ｂは任意の日において解析装置４(の解析部４０)が導出した生活パターンを示している。図５Ｂに示す生活パターンでは、生活者が、就寝後に何度もトイレ８５を利用していると考えられる。そして、解析装置４(の解析部４０)は、当該生活者の生活パターン(図５Ｂ参照)と、標準的な生活パターン(図５Ａ参照)とを比較し、夜間にトイレを利用する回数が極端に多くなっている点に鑑みて、当該生活者が体調を崩していると判断することが好ましい。ただし、解析装置４(の解析部４０)が生活者の安否(異常の有無)を判断する際の判断基準は、当該生活者の年齢や持病の有無などに対応して設定されることが好ましい。
【００６１】
ここで、解析装置４は、広域のネットワーク(ＷＡＮ)、例えば、インターネットを介して通信可能に構成されていることが好ましい。そして、解析装置４は、生活者が体調を崩していると判断した場合、予め登録されている連絡先へ異常の発生を通知することが好ましい。なお、前記連絡先は、例えば、生活者の親族や行政機関などの電子メールアドレスであってもよい。あるいは、集合住宅の管理室などに解析装置４と通信可能な通信端末が設置されている場合、解析装置４は、前記通信端末に異常の発生を通知することが好ましい。
【００６２】
(実施形態２)
本発明に係る生活支援システムの実施形態２について、図面を参照して詳細に説明する。ただし、本実施形態の生活支援システムは、実施形態１の生活支援システムと基本的な構成を共通にしている。したがって、実施形態１の生活支援システムと共通の構成要素には同一の符号を付して説明を省略する。
【００６３】
本実施形態の生活支援システムは、図６に示すように、生活者が使用する機器に取り付けられる識別タグ７と、前記生活空間に配置される複数のリーダライタ９とを備えることが好ましい。識別タグ７は、リーダライタ９に対して、固有の識別符号を送信する通信部７１を備えることが好ましい。リーダライタ９は、識別タグ７の通信部７１から受け取る前記識別符号を解析装置４へ伝送するように構成されることが好ましい。解析装置４は、アダプタ３から受け取る前記検知結果、並びにリーダライタ９から受け取る前記識別符号を解析することにより、前記生活者の生活パターンを導出するように構成されることが好ましい。
【００６４】
識別タグ７は、ＲＦタグとも呼ばれ、タグ制御部７０と通信部７１を備える。また、リーダライタ９は、リーダライタ制御部９０、第１通信部９１、第２通信部９２などを備える。そして、識別タグ７と複数のリーダライタ９とで、従来周知のＲＦＩＤシステムが構成される。
【００６５】
タグ制御部７０は、固有の識別符号を記憶している。識別タグ７の通信部７１は、リーダライタ９の第１通信部９１との間で近距離の無線通信を行うとともに、非接触電力電送技術により、リーダライタ９から給電される電力をタグ制御部７０に供給するように構成される。
【００６６】
すなわち、識別タグ７は、リーダライタ９の第１通信部９１と通信可能な範囲に進入すると、リーダライタ９から非接触で伝送される電力により、通信部７１及びタグ制御部７０が起動される。そして、タグ制御部７０は、固有の識別符号を通信部７１からリーダライタ９へ送信させる。
【００６７】
リーダライタ制御部９０は、固有のＩＤを記憶している。リーダライタ制御部９０は、第１通信部９１で識別タグ７の識別符号を受信すると、当該識別符号と、自己のＩＤと、現在時刻とを含む送信フレームを生成して第２通信部９２に渡す。第２通信部９２は、前記送信フレームを無線信号で解析装置４に送信する。
【００６８】
解析装置４では、通信部４２で前記無線信号を受信し、当該無線信号に含まれる前記送信フレームを解析部４０に渡す。解析部４０は、前記送信フレームに含まれる識別符号とリーダライタ９のＩＤと時刻の各データを対応付けて、記憶部４１に記憶させる。
【００６９】
本実施形態の生活支援システムは、例えば、図７に示すような高齢者向けのシェアハウスに設置されることが好ましい。当該シェアハウスは、１階に９つの居室Ａ１〜Ａ９と、４つのトイレＢ１〜Ｂ４と、１つの食堂兼台所Ｃと、１つの浴室Ｄとが配置されている。各居室Ａ１〜Ａ９には、ベッドと、照明装置１と、報知装置１０とが設置されている。なお、解析装置４は、図示しない管理室などに設置されている。
【００７０】
報知装置１０は、解析装置４との間で有線又は無線で通信する通信機能、前記通信機能を利用して解析装置４から受け取る情報を表示する表示デバイスなどを備え、例えば、居室Ａ１〜Ａ９の壁に取り付けられる。このような報知装置１０は、例えば、無線通信機能を有したタブレット型のコンピュータなどであっても構わない。
【００７１】
また、居住者(生活者)の専有部分である各居室Ａ１〜Ａ９には、明るさセンサ部２５を備えた照明装置１(照明器具２)が天井に設置されている。さらに、共用部分であるトイレＢ１〜Ｂ４や浴室Ｄ、食堂兼台所Ｃなどには、人センサ部２４を備えた照明装置１が天井や壁に設置されている。なお、食堂兼台所Ｃの壁にも報知装置１０が設置されている。
【００７２】
また、図７においては図示を省略しているが、専有部分並びに共用部分(廊下や玄関などを含む。以下、同じ。)の壁若しくは天井にリーダライタ９がそれぞれ設置されている。ただし、リーダライタ９は、照明装置１(照明器具２又はアダプタ３)に内蔵されても構わない。
【００７３】
識別タグ７は、移動の際に生活者が常に携帯、あるいは着用、使用する物品、例えば、杖、眼鏡、車いす、リストバンドなどに取り付けられることが好ましい。
【００７４】
解析装置４は、照明装置１のアダプタ３(若しくは照明装置１)から通知される検知結果、並びにリーダライタ９から通知される位置情報(識別符号とリーダライタ９のＩＤと時刻からなる情報。以下、同じ。)を通信部４２で受信して記憶部４１に記憶する。
【００７５】
例えば、解析部４０は、トイレＢ１に設置されているリーダライタ９から位置情報を受け取ったときに、当該位置情報の識別符号と対応する生活者がトイレＢ１を利用していると判断する。つまり、トイレＢ１〜Ｂ４が共用部分に配置されているため、トイレＢ１〜Ｂ４に設置されている照明装置１の検知結果からは、解析装置４の解析部４０が利用者(生活者)を特定することまではできない。したがって、共用部分にリーダライタ９を設置し、リーダライタ９から解析装置４へ位置情報を伝送することにより、解析部４０がトイレＢ１〜Ｂ４や浴室Ｄなどを利用している生活者を特定することができる。言い換えると、解析部４０は、専有部分及び共有部分の何れの場所においても、複数の生活者毎に、所在を確認することができる。
【００７６】
したがって、解析部４０は、記憶部４１に記憶させた専有部分における照明装置１の検知結果(起床時刻や就寝時刻など)と、共用部分における照明装置１の検知結果と、リーダライタ９の位置情報とに基づいて、各生活者の生活パターンを導出することができる。
【００７７】
さらに、解析部４０は、長期間(例えば、１ヶ月間〜１年間)の生活パターンの平均値から、各生活者毎の標準的な生活パターンを導出し、各生活者毎に生活パターンと標準的な生活パターンとを比較し、各生活者の安否を判断するように構成されることが好ましい。
【００７８】
また、解析部４０は、リーダライタ９から得られる位置情報を解析することにより、生活者がシェアハウス内を移動した距離を算出し、生活者が適当な量の運動(歩行)を行っているか否かを判断するように構成されることが好ましい。そして、解析部４０は、生活者の運動量が不足していると判断した場合、当該生活者の居室(例えば、Ａ２)に設置されている報知装置１０に、運動を促すメッセージ等を報知(表示)させるように構成されることが好ましい。
【００７９】
ところで、解析部４０は、照明装置１の検知結果やリーダライタ９から得られる位置情報に基づいて、トイレＢ１〜Ｂ４や浴室Ｄの利用状況をリアルタイムで把握することができる。そして、解析部４０は、トイレＢ１〜Ｂ４や浴室Ｄの利用状況を各居室Ａ１〜Ａ９の報知装置１０から報知させるように構成されることが好ましい。つまり、トイレＢ１〜Ｂ４や浴室Ｄの利用状況が報知装置１０から報知されることにより、生活者がトイレＢ１〜Ｂ４や浴室Ｄが空くまでの時間を居室Ａ１〜Ａ９で過ごすことができる。その結果、生活者や生活者を介護する介護人の負担の軽減を図ることができる。
【００８０】
上述のように本実施形態の生活支援システムは、生活者が使用する機器(杖や車いすなど)に取り付けられる識別タグ７と、前記生活空間に配置される複数のリーダライタ９とを備えることが好ましい。識別タグ７は、リーダライタ９に対して、固有の識別符号を送信する通信部７１を備えることが好ましい。リーダライタ９は、識別タグ７の通信部７１から受け取る前記識別符号を解析装置４へ伝送するように構成されることが好ましい。解析装置４は、アダプタ３から受け取る前記検知結果、並びにリーダライタ９から受け取る前記識別符号を解析することにより、前記生活者の生活パターンを導出するように構成されることが好ましい。
【００８１】
本実施形態の生活支援システムは、各生活者が専有する専有部分と、複数の生活者が共用する共用部分とを有する生活空間に設置された場合であっても、各生活者の生活パターンを導出することができる。
【符号の説明】
【００８２】
１  照明装置
２  照明器具
３  引掛シーリング用のアダプタ
６  引掛シーリングボディ
２０  ＡＣ／ＤＣコンバータ(点灯装置)
２１  ＤＣ／ＤＣコンバータ(点灯装置)
２２  ＬＥＤモジュール(光源)
２６  器具本体
３０  制御部
３１  検知部
３２  通信部
２６３  ホルダ
【図１】
2015185458.tif 000003
【図２】
2015185458.tif 000004
【図３】
2015185458.tif 000005
【図４】
2015185458.tif 000006
【図５】
2015185458.tif 000007
【図６】
2015185458.tif 000008
【図７】
2015185458.tif 000009